(57)【要約】      （修正有）【課題】従来にない作用効果を発揮する実用的なベッドを提供する。【解決手段】ベッド本体に、内部に粒子Ｓが収納される身体支持部２と、この身体支持部２内にエアーを供給するエアー供給部３とを備えたベッドであって、ベッド本体の下面には伸縮自在な脚部４が突設され、この脚部４を伸縮することでベッド本体の高さ調整が行えるように構成され、脚部４を縮動することで接地する車輪部がベッド本体に設けられ、車輪部が接地した状態においては脚部４は非接地状態となるように構成されたものである。【選択図】図２
0003199304.tif 000002
【実用新案登録請求の範囲】
【請求項１】
ベッド本体に、内部に粒子が収納される身体支持部と、この身体支持部内にエアーを供給するエアー供給部とを備えたベッドであって、前記ベッド本体の下面には伸縮自在な脚部が突設され、この脚部を伸縮することで前記ベッド本体の高さ調整が行えるように構成され、前記脚部を縮動することで接地する車輪部が前記ベッド本体に設けられ、前記車輪部が接地した状態においては前記脚部は非接地状態となるように構成されていることを特徴とするベッド。
【請求項２】
請求項１記載のベッドにおいて、前記脚部は前記ベッド本体の下面四隅に設けられていることを特徴とするベッド。
【請求項３】
請求項２記載のベッドにおいて、前記車輪部は前記ベッド本体の下面にして前記各脚部よりも中央寄りの四箇所に設けられていることを特徴とするベッド。
【請求項４】
請求項１〜３いずれか１項に記載のベッドにおいて、前記脚部は、複数の柱状部材同士を摺動自在に嵌合連結したものであることを特徴とするベッド。
【考案の詳細な説明】
【技術分野】
【０００１】
本考案は、ベッドに関するものである。
【背景技術】
【０００２】
従来から、例えば床ずれ防止に用いられるベッドとして、例えば実開昭６０−１１６３５１号に開示されるようなベッド（以下、従来例）が提案されている。
【０００３】
この従来例は、ベッド本体に、内部に粒子（ビーズ）が収納される身体支持部と、この身体支持部内にエアーを供給するエアー供給部とを備えたものであり、このエアー供給部から供給されるエアーにより身体支持部内でビーズが流動し、この身体支持部上に横たわった際の体圧が可及的に軽減される。
【先行技術文献】
【特許文献】
【０００４】
【特許文献１】実開昭６０−１１６３５１号公報
【考案の概要】
【考案が解決しようとする課題】
【０００５】
本考案者は、前述した内部に粒子が収納される身体支持部及びエアー供給部を備えたベッドについて更なる開発を進めた結果、従来にない作用効果を発揮する実用的なベッドを考案した。
【課題を解決するための手段】
【０００６】
添付図面を参照して本考案の要旨を説明する。
【０００７】
ベッド本体１に、内部に粒子Ｓが収納される身体支持部２と、この身体支持部２内にエアーを供給するエアー供給部３とを備えたベッドであって、前記ベッド本体１の下面には伸縮自在な脚部４が突設され、この脚部４を伸縮することで前記ベッド本体１の高さ調整が行えるように構成され、前記脚部４を縮動することで接地する車輪部５が前記ベッド本体１に設けられ、前記車輪部５が接地した状態においては前記脚部４は非接地状態となるように構成されていることを特徴とするベッドに係るものである。
【０００８】
また、請求項１記載のベッドにおいて、前記脚部４は前記ベッド本体１の下面四隅に設けられていることを特徴とするベッドに係るものである。
【０００９】
また、請求項２記載のベッドにおいて、前記車輪部５は前記ベッド本体１の下面にして前記各脚部４よりも中央寄りの四箇所に設けられていることを特徴とするベッドに係るものである。
【００１０】
また、請求項１〜３いずれか１項に記載のベッドにおいて、前記脚部４は、複数の柱状部材４’同士を摺動自在に嵌合連結したものであることを特徴とするベッドに係るものである。
【考案の効果】
【００１１】
本考案は上述のように構成したから、脚部を接地状態として安定的な使用状態が得られるのは勿論、使用者が使い易い状態となるようベッド本体の高さ調整を行うことができ、しかも、ベッド本体を移動させたい場合には、脚部と入れ替わるように車輪部を接地させることで、重量の重いベッド本体を楽に移動できる状態が簡易且つ迅速に得られることになるなど、従来にない作用効果を発揮する実用的なベッドとなる。
【図面の簡単な説明】
【００１２】
【図１】本実施例を示す斜視図である。
【図２】本実施例の要部を説明する断面図である。
【図３】本実施例の要部を説明する断面図である。
【図４】本実施例の要部の使用状態説明図である。
【図５】本実施例を示す底面図である。
【図６】本実施例の要部の動作説明図である。
【図７】本実施例の要部の使用状態説明図である。
【考案を実施するための形態】
【００１３】
好適と考える本考案の実施形態を、図面に基づいて本考案の作用を示して簡単に説明する。
【００１４】
例えば使用者がベッド本体１の身体支持部２上に横たわる際には、脚部４を接地させた状態とすると、安定的な使用状態が得られる。尚、この接地させた脚部４を伸縮させることでベッド本体１の高さ調整が行える。
【００１５】
この使用状態において、エアー供給部３からエアーを供給すると、このエアー供給部３から供給されるエアーにより身体支持部２内で粒子Ｓが流動し、この身体支持部２上に横たわった際の体圧が可及的に軽減される。
【００１６】
また、ベッド本体１の向きや位置を変えたい場合など、ベッド本体１を移動する際には、脚部４を縮動することで車輪部５を接地させ、この車輪部５を接地させた状態で脚部４は非接触状態であるから、身体支持部２及びエアー供給部３を備えた重量のあるベッド本体１であっても楽に移動できる。
【００１７】
従って、脚部４の伸縮により、安定的な使用状態と移動可能な状態とが簡易且つ迅速に得られることになる。
【実施例】
【００１８】
本考案の具体的な実施例について図面に基づいて説明する。
【００１９】
本実施例は、ベッド本体１に、内部に粒子Ｓが収納される身体支持部２と、この身体支持部２内にエアーを供給するエアー供給部３とを備えたベッドである。
【００２０】
具体的には、ベッド本体１は、図１〜３に図示したように上下方向に開口する中空部１ａを有する直方体形状のフレーム構造体である。
【００２１】
また、このベッド本体１には、内部に粒子Ｓを収納する身体支持部２が設けられている。
【００２２】
この身体支持部２は、図２，３に図示したようにベッド本体１の中空部１ａの上方位置に、外容体６Ａ内に空間部を介して内容体６Ｂを配設して成る容状体６を配設し、この容状体６の上部開口部にシーツ体７を架設して構成されている。
【００２３】
このシーツ体７は、空気のみを通過させ粒子Ｓは通過させない構成（フィルターシーツ）であり、その周縁部７ａを容状体６の周縁鍔部６ａに折り返して装着される。
【００２４】
具体的には、図３に図示したように容状体６の周縁鍔部６ａに対してシーツ体７の周縁部７ａを上面側から下面側にかけて折り返し状態に配設し、この容状体６の周縁鍔部６ａとシーツ体７の周縁部７ａとの上下の重合部位夫々に面ファスナー部８を設け、更に、周縁鍔部６ａの先端と該先端を覆うシーツ体７との間に弾性部材９（シリコン部材）を設けている。
【００２５】
従って、このシーツ体７の装着方法により、身体支持部２から外部への粒子Ｓの流出を可及的に防止することができる。
【００２６】
また、容状体６内には粒子Ｓ（ガラス製のビーズ）が多量に収納されており、この粒子Ｓはシーツ体７及び後述する拡散板10を通過しない大きさのものが採用されている。尚、粒子Ｓとしてはビーズに限らず、本実施例の特性を発揮するものであれば適宜採用し得るものである。
【００２７】
また、容状体６を構成する内容体６Ｂの底部には、所定間隔を介して複数の通気孔６ｂが設けられており、更に、底部内面には通気性を有する拡散板10（コルクボード）が配設されている。
【００２８】
従って、後述するエアー供給部３から供給されるエアーは、この通気孔６ｂ及び拡散板10を通過して拡散した状態で容状体６内に入って滞留しつつシーツ体７から上方へ抜ける。
【００２９】
エアー供給部３は、図２に図示したように中空部１ａの下方位置に配設されるブロワー11，エアクリーナー12，ラジエーター13及びエアチャンバー14で構成されている。
【００３０】
ブロワー11は、外部から取り入れたエアーを圧縮して送出する送風機であり、このブロワー11から送出されるエアーは圧縮加熱されている。
【００３１】
エアクリーナー12は、ブロワー11から送出されるエアーを濾過するものである。
【００３２】
ラジエーター13は、温度センサーと制御ユニットを具備し、エアクリーナー12を通過して濾過されたエアーの温度を所定値まで下げる。
【００３３】
エアチャンバー14は、前述した容状体６の空間部で構成され、安定したエアーの流れを作出し、このエアチャンバー14を通過したエアーは通気孔６ｂ及び拡散板10を通過して容状体６（身体支持部２）内に入る。
【００３４】
また、ベッド本体１の下面四隅には伸縮自在な脚部４が突設されている。
【００３５】
この脚部４は、図１〜７に図示したように３本の角柱状部材４’同士を摺動自在に嵌合連結したものであり、この各脚部４の内部に設けられたアクチュエーター14（ネジ棒14ａと該ネジ棒14ａの回動により上下方向に螺動するナット14ｂ）の作動により伸縮するように設けられている。
【００３６】
従って、各脚部４を伸縮することでベッド本体１の高さ調整が行え、また、各脚部４を縮動させた際、非接地状態であった後述する車輪部５が接地し、この車輪部５が接地した状態で更に各脚部４を縮動させることで該各脚部４は非接地状態となる。
【００３７】
また、ベッド本体１の下面にして各脚部４よりも中央寄りの四箇所に車輪部５が設けられている。
【００３８】
この車輪部５は所定高さを有し、前述したように脚部４を縮動することで車輪部５は接地し、この車輪部５を接地した状態において更に脚部４を縮動させることで該脚部４を非接地状態にできるように構成されている。
【００３９】
尚、この車輪部５にも上下方向に伸縮する構造を具備せしめても良い。
【００４０】
また、本実施例では、身体支持部２の縁部には、使用者の上半身を起こすための枠状部材15が起伏自在に設けられている。符号16は枠状部材に装着されるシート部材である。
【００４１】
符号17は、エアー供給部３，脚部４，枠状部材15及び電源等の各種電子制御部の作動を操作するリモコンである。
【００４２】
本実施例は上述のように構成したから、使用者がベッド本体１の身体支持部２上に横たわる際には、脚部４を接地させた状態とすると、安定的な使用状態が得られる（図４参照）。尚、この接地させた脚部４を伸縮させることでベッド本体１の高さ調整が行える。
【００４３】
この使用状態において、エアー供給部３からエアーを供給すると、このエアー供給部３から供給されるエアーにより身体支持部２内で粒子Ｓが流動し（図２参照）、この身体支持部２上に横たわった際の体圧が可及的に軽減される。
【００４４】
また、ベッド本体１の向きや位置を変えたい場合など、ベッド本体１を移動する際には、各脚部４を縮動することで車輪部５を接地させ、この車輪部５が接地した後も更に各脚部４を縮動させると、この車輪部５を接地させた状態で各脚部４は非接地状態であるから（図７参照）、身体支持部２及びエアー供給部３を備えた重量のあるベッド本体１であっても楽に移動できる。
【００４５】
よって、本実施例によれば、脚部４を接地状態として安定的な使用状態が得られるのは勿論、使用者が使い易い状態となるようベッド本体１の高さ調整を行うことができ、しかも、ベッド本体１を移動させたい場合には、脚部４と入れ替わるように車輪部５を接地させることで、重量の重いベッド本体１を楽に移動できる状態が簡易且つ迅速に得られることになる。
【００４６】
また、本実施例は、脚部４はベッド本体１の下面四隅に設けられているから、極めて安定的な使用状態が得られることになる。
【００４７】
また、本実施例は、車輪部５はベッド本体１の下面にして各脚部４よりも中央寄りの四箇所に設けられているから、大型化を可及的に抑制しつつその機能を確実に発揮し得ることになる。
【００４８】
また、本実施例は、脚部４は、複数の柱状部材４’同士を摺動自在に嵌合連結したものであるから、脚部４における伸縮構造が確実に得られることになる。
【００４９】
尚、本考案は、本実施例に限られるものではなく、各構成要件の具体的構成は適宜設計し得るものである。
【符号の説明】
【００５０】
Ｓ  粒子
１  ベッド本体
２  身体支持部
３  エアー供給部
４  脚部
４’  柱状部材
５  車輪部
【図１】
0003199304.tif 000003
【図２】
0003199304.tif 000004
【図３】
0003199304.tif 000005
【図４】
0003199304.tif 000006
【図５】
0003199304.tif 000007
【図６】
0003199304.tif 000008
【図７】
0003199304.tif 000009